(57)【要約】【課題】歩行モードとスケーティングモードとを切り換え可能なローラスケートにおいて、歩行モードでの歩行を快適に行えるようにする。【解決手段】靴底における外側の位置で、靴の長さ方向に沿って基材部１２から下方に突出するように形成された摩擦接触部材１３と、靴底における内側の位置で、靴の長さ方向に沿って複数設けられた傾斜ローラ１６と、摩擦接触部材１３と傾斜ローラとの間において上向きに形成された空間部２２とを有する。歩行モードでは、摩擦接触部材１３と傾斜ローラ１６の内側エッジ２１とが歩行面１４に接触する。スケーティングモードでは、基材部１２が外側へ倒されることで傾斜ローラ１６の踏面２７が走行面に接触しかつ摩擦接触部材１３は走行面に接触しない。つま先部分２３と、つま先部分２３よりも後側の部分との境界部が、この境界部以外の部分よりも弾性変形しやすいように構成されている。【選択図】図６
2013094515.tif 000002
【特許請求の範囲】
【請求項１】
靴底に対応する部位に設けられた基材部と、
靴底における外側の位置で、靴の長さ方向に沿って基材部から下方に突出するように形成された摩擦接触部材と、
靴底における内側の位置で、靴の長さ方向に沿って複数設けられた傾斜ローラと、
摩擦接触部材と傾斜ローラとの間において上向きに形成された空間部とを有し、
歩行モードでは摩擦接触部材と傾斜ローラの内側エッジとが歩行面に接触するように構成され、
スケーティングモードでは、基材部が外側へ倒されることで傾斜ローラの踏面が走行面に接触しかつ摩擦接触部材が走行面に接触しないように構成されたローラスケートであって、
靴のつま先部分と、つま先部分よりも後側の部分との境界部が、この境界部以外の部分よりも弾性変形しやすいように構成されていることを特徴とするローラスケート。
【請求項２】
基材部が靴本体と一体に構成されていることを特徴とする請求項１記載のローラスケート。
【請求項３】
基材部は、靴本体と別体に構成されるとともに、靴本体を着脱自在とされていることを特徴とする請求項１記載のローラスケート。
【請求項４】
靴のつま先部分と、つま先部分よりも後側の部分との境界部において、摩擦接触部材における歩行面への接触側に切欠部が形成されていることを特徴とする請求項１から３までのいずれか１項記載のローラスケート。
【請求項５】
境界部以外の部分において、摩擦接触部材および傾斜ローラを支持するための剛性部材を有するとともに、境界部においては、剛性部材は有さず、かつ部材を有しない切れ目が形成されているか、または剛性部材よりも弾性変形しやすい部材を有することを特徴とする請求項１から４までのいずれか１項記載のローラスケート。
【発明の詳細な説明】
【技術分野】
【０００１】
本発明はローラスケートに関する。
【背景技術】
【０００２】
公知のローラスケートとして、特許文献１に記載されたものがある。この特許文献１に記載されたローラスケートは、
靴底における外側の位置で、靴の長さ方向に沿って基材部から下方に突出するように形成された摩擦接触部材と、
靴底における内側の位置において靴の長さ方向に沿って複数設けられた傾斜ローラと、
摩擦接触部材と傾斜ローラとの間において上向きに形成された空間部とを有し、
歩行モードでは摩擦接触部材と傾斜ローラの内側エッジとが歩行面に接触するように構成され、
スケーティングモードでは、基材部が外側へ倒されることで傾斜ローラの踏面が走行面に接触しかつ摩擦接触部材が走行面に接触しないように構成されたものである。
【先行技術文献】
【特許文献】
【０００３】
【特許文献１】国際公開第０７／０９４６４９号パンフレット
【発明の概要】
【発明が解決しようとする課題】
【０００４】
特許文献１に記載されたローラスケートでは、上記のように摩擦接触部材は、靴底における外側部の位置で、靴の長さ方向に沿って基材部から下方に突出するように形成されている。したがって摩擦接触部材は、靴底がその長さ方向に沿って湾曲するのを防止するように機能する。
【０００５】
ところが、靴の着用者が歩行するときには「かかと」を歩行面から蹴り上げることで前進するものであるから、それに対応して靴底が湾曲しないと歩きにくい。
したがって、特許文献１に記載されたローラスケートは、基材部を倒したり戻したりするだけで容易に歩行モードとスケーティングモードとを切り換え可能であり、スケーティングモードでは快適な走行が可能であるが、歩行モードでの歩きやすさの点では改善の余地がある。
【０００６】
そこで本発明は、このような問題点を解決して、歩行モードとスケーティングモードとを切り換え可能なローラスケートであって、歩行モードにおいて快適に歩行することができるローラスケートを得ることを目的とする。
【課題を解決するための手段】
【０００７】
この目的を達成するため本発明のローラスケートは、
靴底に対応する部位に設けられた基材部と、
靴底における外側の位置で、靴の長さ方向に沿って基材部から下方に突出するように形成された摩擦接触部材と、
靴底における内側の位置で、靴の長さ方向に沿って複数設けられた傾斜ローラと、
摩擦接触部材と傾斜ローラとの間において上向きに形成された空間部とを有し、
歩行モードでは摩擦接触部材と傾斜ローラの内側エッジとが歩行面に接触するように構成され、
スケーティングモードでは、基材部が外側へ倒されることで傾斜ローラの踏面が走行面に接触しかつ摩擦接触部材が走行面に接触しないように構成され、
靴のつま先部分と、つま先部分よりも後側の部分との境界部が、この境界部以外の部分よりも弾性変形しやすいように構成されていることを特徴とする。
【発明の効果】
【０００８】
したがって本発明によると、靴のつま先部分と、つま先部分よりも後側の部分との境界部が、この境界部以外の部分よりも弾性変形しやすいように構成されているため、装着者が歩行するときに「かかと部分」を地面から蹴り上げることで前進する動作に対応して靴底が湾曲しやすく、したがって歩行モードにおける快適な歩行を実現することができる。
【図面の簡単な説明】
【０００９】
【図１】本発明の実施の形態のローラスケートの側面図である。
【図２】同ローラスケートの正面図である。
【図３】図１に示されたローラスケートの底面図である。
【図４】図１に示されたローラスケートの反対側の側面図である。
【図５】本発明の他の実施の形態のローラスケートを示す図である。
【図６】図５に示されたローラスケートの底面図である。
【図７】図５および図６のローラスケートの歩行時の状態を示す図である。
【図８】本発明のさらに他の実施の形態のローラスケートの側面図である。
【図９】図８に示されたローラスケートの反対側の側面図である。
【図１０】図９に示されたローラスケートの底面図である。
【図１１】本発明のさらに他の実施の形態のローラスケートの側面図である。
【図１２】図１１に示されたローラスケートの反対側の側面図である。
【発明を実施するための形態】
【００１０】
図１〜図４に示されるローラスケートにおいて、１１は靴本体、１２はその靴底としての基材部である。基材部１２は、たとえば合成ゴムにより靴本体１１と一体に厚肉で形成されている。
【００１１】
図１〜４に示されたローラスケートは右足に装着するものであるが、その靴底を構成する基材部１２における外側の位置には、基材部１２から下方に突出するように図示のように基材部１２と一体あるいは図示は省略するが基材部１２とは別体に形成された摩擦接触部材１３が、靴の長さ方向に沿って形成されている。摩擦接触部材１３の下端には、地面などの歩行面１４に接する接触面１５が形成されている。図２に示すように、接触面１５を形成するために、基材部１２よりも歩行面１４に対する摩擦係数が大きくなる部材１０を、摩擦接触部材１３の下端に貼り付けなどにより取り付けることもできる。
【００１２】
靴底を構成する基材部１２における内側の位置には、傾斜ローラ１６が設けられている。詳細には、厚肉の基材部１２における内側の位置の「つま先部分２３」と「かかと部分２８」とには、それぞれ下向きに開口する凹部１７が、外向きに傾斜した状態で形成されている。凹部１７には、軽金属や硬質樹脂によって形成されたブラケット１８が、収容状体で取り付けられている。ブラケット１８には、幅広のローラ１９が、回転自在に支持されている。すなわちローラ１９は、その回転軸心２０が靴の中心部から外側部に向かって上向きに傾斜した状態で、基材部１２に取り付けられている。２１はローラ１９における内側のエッジであり、歩行時には摩擦接触部材１３の接触面１５とこのエッジ２１とが歩行面１４に接触するように構成されている。図２に示すように、摩擦接触部材１３と傾斜ローラ１６との間には、上向きの空間部２２が形成されている。
【００１３】
２３は、ローラスケートのつま先部分である。つま先部分２３と、このつま先部分２３よりも後側の部分との境界部における摩擦接触部材１３の部分には、下向きに開口した切欠部２４が形成されている。切欠部２４はその奥部が靴本体１１の側方から見て円弧状となるように形勢されている。２５はその円弧状部である。また切欠部２４は、その開口部２６が靴本体１１の側方から見て先広がり形状すなわち開先形状になるように形成されている。
【００１４】
図５〜図６は、本発明の他の実施の形態のローラスケートを示す。すなわち、図１〜図４に示されたローラスケートは、靴本体の長さ方向に沿った前後の二箇所に傾斜ローラ１６が設けられたものであったが、この図５〜図６に示されたローラスケートは、前後の３箇所に傾斜ローラ１６が設けられている。詳細には、つま先部分２３とその直後の部分とにおいて、切欠部２４を間に挟むようにして、一対の傾斜ローラ１６、１６が設けられている。またかかと部分２８に残りの一つの傾斜ローラが設けられている。
【００１５】
図１〜図４に示されたローラスケート、および図５〜図６に示されたローラスケートでは、図２に示される状態で摩擦接触部材１３とローラ１９のエッジ２１とをともに歩行面１４に接触させることで、摩擦接触部材１３が摩擦力により歩行面１４に対して相対移動しないため、ローラ１９の回転も阻止される。これにより、普通の靴により歩行する場合と同様に歩行することが可能な「歩行モード」とすることができる。そして、この状態から靴本体１１を傾けることにより、摩擦接触部材１３を歩行面１４から浮かすとともにローラ１９の踏面２７を走行面に接地させることができる。これにより、普通のローラスケートと同様のローラ１９による「スケーティングモード」すなわち「走行モード」とすることができる。
【００１６】
歩行モードにおける図５〜図６のローラスケートの挙動は、図７に示すようになる。すなわち、まず図７の右端に示すように「かかと部分２８」における摩擦接触部材１３と傾斜ローラ１６とが歩行面１４に接触し、その後に、図示は省略するが摩擦接触部材１３の全面とすべての傾斜ローラ１６、１６、１６のエッジ２１とが歩行面１４に接触する。次に、かかとの蹴り上げによって、図７の中央に示すように「かかと部分２８」が歩行面１４から浮き上がる。すると、これにつれて、つま先部分２３における摩擦接触部材１３と傾斜ローラ１６は歩行面１４に接触したままであるが、それよりも後側の摩擦接触部材１３と傾斜ローラ１６とは、歩行面１４から離れる。このとき、図示のように、靴底を構成する基材部１２は、つま先部分２３と、このつま先部分２３よりも後側の部分との境界部を中心として、「く」の字形に弾性変形する。このとき、摩擦接触部材１３も同様に「く」の字形に弾性変形する。そして、このとき、摩擦接触部材１３には、「く」の字形に弾性変形するときの屈曲部に切欠部２４が形成されているため、基材部１２に揃った弾性変形を容易に行うことができる。したがって、装着者が歩行するときに「かかと部分２８」を走行面１４から蹴り上げることで前進する動作に対応して靴底が湾曲しやすく、このため歩行モードにおける快適な歩行を実現することができる。
【００１７】
図７の中央に示す動作の次は、図７の左端に示すように「つま先部分２３」の蹴り上げによる前進が行われる。このときも、基材部１２は図示のように「く」の字形に弾性変形することになるが、同様に摩擦接触部材１３が切欠部２４を屈曲中心として「く」の字形に弾性変形するため、靴底を容易に湾曲させることが可能である。
【００１８】
切欠部２４は、適宜の深さに形成することができる。あるいは、切欠部２４が基材部１２に到達して、切欠部２４の奥部には摩擦接触部材１３の構成材料が存在しないようにすることもできる。あるいは、摩擦接触部材１３において、切欠部２４の奥部は、それ以外の部分に比べて弾性変形しやすい別の材料で構成することもできる。
【００１９】
図８〜図１０は、本発明のさらに他の実施の形態のローラスケートを示す。このローラスケートは、靴本体１１に相当するものを有さず、靴底に該当する基材部１２の上面が露出した構成となっている。そして、基材部１２にはベルト３０が設けられており、このベルト３０を用いて、普通の靴３１を基材部１２に取り外し自在に固定できるように構成されている。このような構成によれば、任意の靴を履いた状態で、その靴を基材部１２に固定してローラスケーティングを行うことができる。
【００２０】
基材部１２は、靴の長さ方向に長さ調整可能とすることができる。つまり、靴３１のサイズに合わせた適宜の長さに調整可能な構成とすることができる。これによれば、基材部１２として、たとえば「大」「中」「小」の３種類程度を準備しておくだけで、すべてのサイズの靴３１に合わせて長さ調整することが可能である。
【００２１】
それ以外の構成は、図１〜図７の実施の形態のものと同様とすることができる。
これに対して、図８〜図１０に示した実施の形態では、図１〜図７の実施の形態のものとは異なる構成を採用している。すなわち、基材部１２には剛性部材としての板状体３２が固定されており、この板状体３２に、摩擦接触部材１３と傾斜ローラ１６とが取り付けられている。傾斜ローラ１６は、図１〜図７の実施の形態のもののように厚肉の基材部１２の内部にはまり込んでいるのではなく、ブラケット１８が板状体３２に取り付けられて、その全体が板状体３２から突出した構成とされている。摩擦接触部材１３は、同様に切欠部２４を有する。あるいは摩擦接触部材１３は、図８〜図１０において仮想線で示すように、切欠部２４よりもつま先側の部分が存在しない構成とすることもできる。つまり、摩擦接触部材１３は、つま先部分２３を除いたそれよりも後側の部分のみに形成されている構成とすることもできる。
【００２２】
板状体３２は、軽金属や硬質樹脂などによって形成することができる。そして板状体３２は、つま先部分２３とこのつま先部分２３よりも後側の部分との境界部には存在しないように構成されている。すなわち、板状体３２は、つま先部分２３とこのつま先部分２３よりも後側の部分との境界部において、適当な幅の切れ目３３を有した構成とされている。
【００２３】
このような構成によると、摩擦接触部材１３と傾斜ローラ１６とは、板状体３２により確実に支持されることで、十分にその機能を発揮可能である。かつ板状体３２は切れ目３３を有することから、歩行時に、靴底を構成する基材部１２が、つま先部分２３とこのつま先部分２３よりも後側の部分との境界部を屈曲中心として「く」の字形に弾性変形することを阻害しない。このため、歩行時に基材部１２が湾曲しやすく、歩行モードにおける快適な歩行を実現することができる。切れ目３３は、図示のような空隙として形成することが可能であるほかに基材部１２と同様の弾性変形しやすい材料を充填することも可能である。あるいは、板状体３２を樹脂にて成形する場合には、つま先部分２３とこのつま先部分２３よりも後側の部分との境界部すなわち歩行時に屈曲する部分を弾性変形しやすい材料で構成するとともに、それ以外の部分を、摩擦接触部材１３と傾斜ローラ１６とを確実に支持するために硬質の材料で形成し、かつ両者を一体化した構成とすることもできる。
【００２４】
図１１および図１２は、本発明のさらに他の実施の形態のローラスケートを示す。上述の図８〜図１０の実施の形態では基材部１２とベルト３０とを備えた構成であることにより、任意の靴を取り付けてローラスケート化できるものを例示したが、この図１１および図１２の実施の形態のローラスケートは、図１〜図７に示したものと同様に、靴本体１１と基材部１２とが一体に構成されたものである。それ以外の構成およびその機能は、図８〜図１０の実施の形態のものと同様である。
【００２５】
図１〜図１２には、ローラスケートとして、切欠部２４以外の部分で摩擦接触部材１３が比較的長い範囲に存在するものを示した。しかし、摩擦接触部材１３は、傾斜ローラ１６に対応して形成されていれば足り、たとえば図示のように切欠部２４よりも後側すなわち切欠部２４よりも「かかと部分２８」の側において長さ方向に連続して形成する必要は無い。つまり、傾斜ローラ１６の存在する部分においてローラ１９のエッジ２１と摩擦接触部材１３とが歩行面に接触していれば、歩行機能を達成するために必要かつ十分であり、それ以外の部分には摩擦接触部材１３が形成されていなくても問題は無い。むしろ、その方が、不要な部分に摩擦接触部材１３が形成されることを防止できて、ローラスケートの軽量化およびコストダウンを図るうえで有利である。また、摩擦接触部材１３が歩行面１４上の障害物に接触する可能性を低減することもできる。
【符号の説明】
【００２６】
１２    基材部
１３    摩擦接触部材
１４    歩行面
１６    傾斜ローラ
２１    エッジ
２２    空間部
２３    つま先部分
２４    切欠部
２５    切れ目
２７    踏面
【図１】
2013094515.tif 000003
【図２】
2013094515.tif 000004
【図３】
2013094515.tif 000005
【図４】
2013094515.tif 000006
【図５】
2013094515.tif 000007
【図６】
2013094515.tif 000008
【図７】
2013094515.tif 000009
【図８】
2013094515.tif 000010
【図９】
2013094515.tif 000011
【図１０】
2013094515.tif 000012
【図１１】
2013094515.tif 000013
【図１２】
2013094515.tif 000014